(57)【要約】【課題】電池モジュールの放熱部材への固定を容易に行うことを可能にする。【解決手段】電池モジュールユニット１００は、電池モジュール１０と、収容部材８０とを備える。収容部材８０は、載置部８２に電池モジュール１０が載置されることにより、第１の状態から第２の状態に変形可能に構成されている。第２の状態において、一対の側壁部８４における電池セル５０に対向する対向領域Ｒ間の距離は、第１の状態における対向領域間の距離よりも短い。第２の状態では、電池モジュール１０は、一対の側壁部８４に挟持されると共に、側壁部８４が電池モジュール１０に熱的に接触している。【選択図】図４
2017041311.tif 000002
【特許請求の範囲】
【請求項１】
並設された複数の電池セルを含む電池モジュールと、
前記電池モジュールを収容する収容部材と、
を備え、
前記収容部材は、
前記複数の電池セルの並設方向に延在しており前記電池モジュールが載置される載置部と、
前記載置部における前記並設方向に延在する一対の縁部それぞれに設けられる一対の側壁部と、
を含み、
前記一対の側壁部の少なくとも一方は、前記電池モジュールを放熱するための放熱部を有し、
前記収容部材は、前記載置部に前記電池モジュールが載置されることにより、第１の状態から第２の状態に変形可能に構成されており、
前記第２の状態において、前記一対の側壁部における前記電池セルに対向する対向領域間の距離は、前記第１の状態における前記対向領域間の距離よりも短く、
前記第２の状態では、前記電池モジュールは、前記一対の側壁部に挟持されると共に、前記放熱部が前記電池モジュールに熱的に接触している、
電池モジュールユニット。
【請求項２】
前記一対の側壁部の各々は、対応する前記縁部に接続される第１の縁部と前記第１の縁部と反対側に位置する第２の縁部とを有する平板形状をなしており、
前記第１の状態では、前記一対の側壁部それぞれが有する前記第１の縁部間の第１離間距離より前記第２の縁部間の第２離間距離の方が長く、
前記第２の状態では、前記第２離間距離が前記第１の状態の場合より短い、
請求項１に記載の電池モジュールユニット。
【請求項３】
前記電池モジュールは、前記複数の電池セルそれぞれに熱的に接続された伝熱部材を含み、
前記電池モジュールにおける前記放熱部を有する前記側壁部に対向する対向面には、前記伝熱部材が露出している、請求項１又は２に記載の電池モジュールユニット。
【請求項４】
前記第１の状態において、前記載置部は、前記並設方向から見て前記収容部材の内側に湾曲又は屈曲しており、
前記第２の状態において、前記並設方向から見て前記載置部は前記第１の状態の場合よりも平坦である、請求項１〜３のいずれか一項に記載の電池モジュールユニット。
【請求項５】
前記載置部は、
前記一対の側壁部のうちの第１の側壁部が接続される第１の部分と、
前記一対の側壁部のうちの第２の側壁部が接続される第２の部分と、
前記第１の部分及び前記第２の部分を前記並設方向に延びる所定の軸周りに揺動可能に連結する連結部と、
を含む、請求項１〜４のいずれか一項に記載の電池モジュールユニット。
【請求項６】
前記連結部は、ヒンジ部である、請求項５に記載の電池モジュールユニット。
【請求項７】
前記第１及び第２の部分は金属板であり、
前記一対の側壁部は金属板であり、
各前記側壁部が放熱部である、請求項５又は６に記載の電池モジュールユニット。
【請求項８】
前記載置部は弾性部材からなり、
前記一対の側壁部は金属板であり、
各前記側壁部が放熱部である、請求項１〜４の何れか一項に記載の電池モジュールユニット。
【請求項９】
前記載置部は弾性部材からなり、
前記一対の側壁部のそれぞれは、
弾性部材からなり、開口部が形成されている板状部と、
前記開口部に設けられると共に、前記放熱部である放熱板と、
を含む、請求項１〜４の何れか一項に記載の電池モジュールユニット。
【請求項１０】
前記放熱部には、温度調整機構が設けられている、
請求項１〜９の何れか一項に記載の電池モジュールユニット。
【請求項１１】
前記温度調整機構は、冷媒を流すための冷却流路を有する、
請求項１０に記載の電池モジュールユニット。
【請求項１２】
前記温度調整機構は、ペルチェ素子を有する、
請求項１０又は１１に記載の電池モジュールユニット。
【請求項１３】
請求項１〜１２のいずれか１項に記載の電池モジュールユニットと、
前記電池モジュールユニットを収容するケースと、
を備える、
電池パック。
【請求項１４】
前記電池モジュールユニットは、前記ケースの内壁面に前記放熱部が熱的に接するように固定されている、請求項１３に記載の電池パック。
【発明の詳細な説明】
【技術分野】
【０００１】
本発明は、電池モジュールユニット及び電池パックに関する。
【背景技術】
【０００２】
従来より、並設された複数の電池セルを含む電池モジュールが知られている。電池モジュールが有する複数の電池セルを使用（充放電）すると電池セルが熱を有するため、電池モジュール、より具体的には電池セルを放熱する必要がある。そこで、例えば、特許文献１に記載された電池モジュールでは、放熱性を確保するため、電池モジュールに、放熱部材である放熱プレートを熱結合している。
【先行技術文献】
【特許文献】
【０００３】
【特許文献１】特開２００９−１２３３７１号公報
【発明の概要】
【発明が解決しようとする課題】
【０００４】
電池モジュールの放熱性を確保する観点からは、電池モジュールを放熱部材に押し付けそれらをしっかり固定しておく必要がある。例えば、特許文献１では、放熱部材としての放熱シートを、電池モジュールにネジ止めし、それらを固定する。しかしながら、電池モジュールを放熱部材にネジ止めするための作業が必要であり、手間及びコストが掛かる。
【０００５】
本発明は、電池モジュールの放熱部材への固定を容易に行うことが可能な電池モジュールユニット及びその電池モジュールユニットを備える電池パックを提供する。
【課題を解決するための手段】
【０００６】
本発明の一側面に係る電池モジュールユニットは、並設された複数の電池セルを含む電池モジュールと、電池モジュールを収容する収容部材と、を備え、収容部材は、複数の電池セルの並設方向に延在しており電池モジュールが載置される載置部と、載置部における並設方向に延在する一対の縁部それぞれに設けられる一対の側壁部と、を含み、一対の側壁部の少なくとも一方は、電池モジュールを放熱するための放熱部を有し、収容部材は、載置部に電池モジュールが載置されることにより、第１の状態から第２の状態に変形可能に構成されており、第２の状態において、一対の側壁部における電池セルに対向する対向領域間の距離は、第１の状態における対向領域間の距離よりも短く、第２の状態では、電池モジュールは、一対の側壁部に挟持されると共に、放熱部が電池モジュールに熱的に接触している。
【０００７】
上記電池モジュールユニットでは、載置部に電池モジュールが載置されないときには、収容部材は第１の状態を取り得る。また、載置部に電池モジュールが載置されているときには、収容部材は第２の状態を取る。そして、第２の状態においては、一対の側壁部における電池セルに対向する対向領域間の距離は、第１の状態における対向領域間の距離よりも短く、電池モジュールは、一対の側壁部に挟持されると共に、放熱部が電池モジュールに熱的に接触している。これにより、一対の側壁部によって電池モジュールを固定しながら、電池モジュールを放熱できる。よって、収容部材は、電池モジュールの放熱部材として機能する。そして、収容部材は、載置部に電池モジュールが載置されることにより、第１の状態から第２の状態に変形するので、電池モジュールを載置部に載置するだけで、電池モジュールを放熱部材としての収容部材に容易に固定することができる。
【０００８】
一対の側壁部の各々は、対応する縁部に接続される第１の縁部と第１の縁部と反対側に位置する第２の縁部とを有する平板形状をなしており、第１の状態では、一対の側壁部それぞれが有する第１の縁部間の第１離間距離より第２の縁部間の第２離間距離の方が長く、第２の状態では、第２離間距離が第１の状態の場合より短くてもよい。この場合、収容部材の開口側（第２の縁部側）が広く開口した状態となるので、そこから電池モジュールを収容部材に容易に収容し、載置部に載置することができる。
【０００９】
上記電池モジュールは、複数の電池セルそれぞれに熱的に接続された伝熱部材を含み、電池モジュールにおける放熱部を有する側壁部に対向する対向面には、伝熱部材が露出していてもよい。これにより、側壁部の放熱部と電池セルとを伝熱部材を介して熱的に接続し、電池セルを好適に放熱させることができる。
【００１０】
上記電池モジュールユニットでは、第１の状態において、載置部は、並設方向から見て収容部材の内側に湾曲又は屈曲しており、第２の状態において、並設方向から見て載置部は第１の状態の場合よりも平坦であってもよい。上記構成では、第１の状態で載置部は収容部材の内側の湾曲又は屈曲している一方、第２の状態では、載置部は第１の状態より平坦になっている。よって、第１の状態において収容部材に電池モジュールを収容し、載置部を押圧して載置部をより平坦にすることで第２の状態に変形できる。
【００１１】
上記電池モジュールユニットでは、載置部は、一対の側壁部のうちの第１の側壁部が接続される第１の部分と、一対の側壁部のうちの第２の側壁部が接続される第２の部分と、第１の部分及び第２の部分を並設方向に延びる所定の軸周りに揺動可能に連結する連結部と、を含んでもよい。例えばこのようにして第１の状態と第２の状態との間で載置部の形状を変化させることによって、収容部材を変形させることもできる。
【００１２】
上記電池モジュールユニットでは、連結部は、ヒンジ部であってもよい。これにより、載置部に含まれる第１の部分及び第２の部分を揺動可能に連結させることができる。
【００１３】
上記電池モジュールユニットでは、第１及び第２の部分は金属板であり、一対の側壁部は金属板であり、各側壁部が放熱部であってもよい。このように第１及び第２の部分が金属板を呈し、一対の側壁部がいずれも金属板からなり放熱部とされることによって、収容部材の、放熱部材としての機能を向上させることができる。
【００１４】
また、載置部は弾性部材からなり、一対の側壁部は金属板であり、各側壁部が放熱部であってもよい。このようにしても、収容部材の、放熱部材としての機能を向上させることができる。
【００１５】
上記電池モジュールユニットでは、載置部は弾性部材からなり、一対の側壁部のそれぞれは、弾性部材からなり、開口部が形成されている板状部と、開口部に設けられると共に、放熱部である放熱板と、を含んでもよい。載置部が弾性部材であることから、第１の状態と第２の状態との間で載置部の形状を変化させて収容部材を変形させることができる。また、各側壁部が放熱板を含むことによって一対の側壁部における放熱性を向上させ、収容部材の、放熱部材としての機能を向上させることができる。
【００１６】
前記放熱部には、温度調整機構が設けられてもよい。これにより、放熱部の放熱機能を高めることができる。温度調整機構は、冷媒を流すための冷却流路を有していてもよく、ペルチェ素子を有していてもよい。
【００１７】
本発明の他の側面に係る電池パックは、上記電池モジュールユニットと、電池モジュールユニットを収容するケースとを備える。この電池パックによれば、先に説明した電池モジュールユニットを備えているので、電池モジュールの放熱部への固定が容易に行われる。
【００１８】
電池モジュールユニットは、ケースの内壁面に放熱部が熱的に接するように固定されていてもよい。これにより、ケースの内壁面を介して、電池モジュールユニットを放熱させることができる。
【発明の効果】
【００１９】
本発明によれば、電池モジュールの放熱部への固定を容易に行うことができる。
【図面の簡単な説明】
【００２０】
【図１】一実施形態に係る電池モジュールユニットが備える電池モジュールの構成の一例を示す斜視図である。
【図２】図１に示した電池モジュールに含まれる電池セルユニットの構成を示す分解斜視図である。
【図３】一実施形態に係る電池モジュールユニットの構成を示す斜視図である。
【図４】図３のＩＶ−ＩＶ線に沿った断面図である。
【図５】第１の状態における収容部材の断面図である。
【図６】電池モジュールユニットの組立て方を説明するための図である。
【図７】一実施形態に係る電池パックの概略構成を示す一部切り欠き斜視図である。
【図８】収容部材の他の例を示す斜視図である。
【図９】収容部材の更に他の例を示す斜視図である。
【図１０】収容部材の更に他の例を示す図である。
【図１１】放熱部に設けられ得る温度調整機構の一例を示す図である。
【図１２】放熱部に設けられ得る温度調整機能の他の例を示す図である。
【発明を実施するための形態】
【００２１】
以下、図面を参照しながら、本発明に係る実施形態を説明する。可能な場合には、同一の部分には同一の符号を付して、重複する説明を省略する。各図面における寸法、形状は、実際のものとは必ずしも同一ではない。
【００２２】
図１は、電池モジュールの構成を示す斜視図である。図１に示したように、電池モジュール１０は、複数の電池セルユニット１２を含む。この例では、電池モジュール１０は７つの電池セルユニット１２を含むが、電池セルユニット１２の数はこれに限定されるものではない。複数の電池セルユニット１２は、一方向に並設（或いは配列）されている。以下、説明のために複数の電池セルユニット１２の並設方向を並設方向Ａと称す。複数の電池セルユニット１２は、バスバーＢといった導電部材によって電気的に接続されている。この接続形態としては直列接続でもよいし、並列接続でもよい。図１では、直列接続の場合を例示している。
【００２３】
図１に示したように、電池モジュール１０において、並設された複数の電池セルユニット１２は、一対の拘束部材３０，３０によって、並設方向に加圧されて拘束されている。一対の拘束部材３０，３０の例は、エンドプレートである。拘束部材３０は、鉄等の剛性が高い材料により形成されている。一対の拘束部材３０，３０は、並設方向Ａに延在するボルト３２及びボルト３４が一方の拘束部材３０、電池セルユニット１２及び他方の拘束部材３０に挿入され、他方の拘束部材３０側でナット（不図示）により締結されることで、固定されている。なお、電池モジュール１０において並設方向Ａに延びる側面１０ａは、後述の放熱部７２によって構成されている。
【００２４】
図２は、電池セルユニット１２の構成を示す分解斜視図である。図２に示したように、電池セルユニット１２は、電池セル５０と、フォルダ６０と、伝熱部材７０とを含む。
【００２５】
電池セル５０は、例えば、リチウムイオン二次電池などの非水電解質二次電池といった蓄電池である。電池セル５０は、電極組立体５２と、ケース５４と、一対の電極端子５８，５８とを含む。なお、電池セル５０は、非水電解質二次電池に限定されない。
【００２６】
電極組立体５２は、正極、負極及び正極と負極との間に配置されたセパレータを有する。正極、負極及びセパレータは、例えばシート形状を有しており、その場合、複数の正極、負極及びセパレータが交互に積層されていてよい。なお、セパレータは袋状であってもよく、その場合には袋状のセパレータ内に、複数の正極及び複数の負極が、セパレータを介して交互に積層され得る。
【００２７】
ケース５４は、有底角筒状のケース本体部５５と、ケース本体部５５の開口を覆う蓋板５６とを含み、電極組立体５２を収容する。ケース５４内には、電極組立体５２と共に、図示しない電解液が充填される。ケース５４の材料の例は、導電材料（例えばアルミニウム）である。電解液としては、例えば有機溶媒系又は非水系の電解液等が挙げられる。
【００２８】
ケース本体部５５（の外表面）は、四角形状（例えば、図３に例示したように矩形、又は正方形）の底面５５１と、４つの側面５５２〜５５５とを有する。側面５５２及び側面５５３は、底面５５１の４つの縁部のうちの対向する一対の縁部から立設されており、側面５５４及び側面５５５は残りの一対の縁部から立設されている。よって、側面５５２及び側面５５３は対向しており、側面５５４及び側面５５５は対向している。
【００２９】
蓋板５６は、ケース本体部５５の開口を塞ぐように配置され固定される。蓋板５６の固定方法は特に限定されないが、例えば、溶接により蓋板５６がケース本体部５５に固定されればよい。
【００３０】
一対の電極端子５８，５８は、電池セル５０の電極組立体５２の電力を外部に取り出すための端子である。一対の電極端子５８，５８の一方は、電極組立体５２の正極に電気的に接続された正極端子である。一対の電極端子５８，５８の他方は、電極組立体５２の負極に電気的に接続された負極端子である。各電極端子５８は、その一端部が蓋板５６から外部に突出するように、蓋板５６と絶縁された状態で、蓋板５６に固定される。
【００３１】
フォルダ６０は、電池セル５０を保持する。本実施形態では、フォルダ６０は、電池セル５０のケース本体部５５の側面５５４及び側面５５５が露出するように、電池セル５０を保持する。フォルダ６０の材料の例は、樹脂である。フォルダ６０は、枠体６２と、仕切部６４と、一対の端子収容部６６，６６と、ボルトガイド部６８，６９とを含む。
【００３２】
枠体６２は、底板６２１と一対の側板６２２，６２２とを有する。底板６２１は、電池セル５０が載置される部材である。底板６２１は、電池セル５０がフォルダ６０に保持された状態で、電池セル５０のケース本体部５５の底面５５１と接する。
【００３３】
一対の側板６２２，６２２は、底板６２１の一対の縁部から立設されている。一対の側板６２２，６２２のそれぞれは、電池セル５０がフォルダ６０に保持された状態で、対応する側面５５２，５５３と接する。底板６２１と一対の側板６２２，６２２とのなす角度は、通常、９０°である。
【００３４】
仕切部６４は、底板６２１の板厚方向（側板６２２の延在方向）において、側板６２２の中間部分に設けられており、一対の側板６２２，６２２を接続している板状部材である。仕切部６４は、側板６２２の幅方向（並設方向Ａ）における一方の縁部に接続されている。底板６２１の板厚方向における底板６２１の上面から仕切部６４の上端までの距離は、例えば、電池セル５０の底面５５１から蓋板５６の上面までの長さとし得る。また、底板６２１の板厚方向における仕切部６４の長さは、側面５５４の長さより短い。これにより、電池セル５０をフォルダ６０に保持した状態で、側面５５４が露出する。また、前述したように、仕切部６４は、側板６２２の幅方向における一方の縁部側に設けられているので、側板６２２の幅方向における他方側は開放されている。よって、電池セル５０をフォルダ６０に保持した状態で、側面５５５が露出する。
【００３５】
一対の端子収容部６６，６６は、電池セル５０の一対の電極端子５８，５８をそれぞれ収容する。一対の端子収容部６６，６６のそれぞれは、一対の側板６２２，６２２に対応して設けられており、互いに直交する第１周囲壁６６１及び第２周囲壁６６２を有する。第１周囲壁６６１は、仕切部６４の上端に設けられている。第１周囲壁６６１の一端は、対応する側板６２２に接続されている。第２周囲壁６６２は、第１周囲壁６６１の他端に接続されており、対応する側板６２２と対向している。
【００３６】
ボルトガイド部６８は、第２周囲壁６６２に隣接して設けられており、第２周囲壁６６２に沿って、すなわち、並設方向Ａに延びている。一対のボルトガイド部６８，６８は、前述のボルト３２を案内する。
【００３７】
また、フォルダ６０において、底板６２１における一対の側板６２２，６２２が立設されている縁部の外側には、それぞれボルトガイド部６９が設けられている。ボルトガイド部６９は、並設方向Ａに延在している。ボルトガイド部６９は、前述のボルト３４を案内する。ボルトガイド部６９の下面（フォルダ６０の外側の面）は、平坦面であり、電池セル５０の底面５５１と平行をなしている。
【００３８】
伝熱部材７０は、電池セル５０を放熱させるための部材である。伝熱部材７０の材料の例は、アルミニウムである。伝熱部材７０は、複数の電池セル５０の各々に対して設けられている。伝熱部材７０は、吸熱部７１と、一対の放熱部７２，７２とを含む。一対の放熱部７２，７２は、吸熱部７１を介して接続されている。
【００３９】
吸熱部７１は、電池セル５０のケース本体部５５の側面５５４に熱的に接続され、伝熱部材７０において電池セル５０からの熱を主に受ける板状の伝熱部である。熱的な接続は、例えば、両面接着テープを用いた接合によって実現される。
【００４０】
一対の放熱部７２，７２は、吸熱部７１からの熱を放熱する板状の伝熱部である。各放熱部７２は、吸熱部７１において、側面５５２側の縁部及び側面５５３側の縁部にそれぞれ立設されている。これにより、図２において、伝熱部材を上方向から見た場合、伝熱部材は、Ｕ字状を呈し、各放熱部７２は、電池セル５０のケース本体部５５の側面５５２及び側面５５３とそれぞれ対向する。
【００４１】
各放熱部７２は、フォルダ６０に保持された電池セル５０に伝熱部材７０が取り付けられた状態で、フォルダ６０の枠体６２の対応する側板６２２を挟んで、側面５５２，５５３の反対側（つまりフォルダ６０の外側）に位置している。これは、吸熱部７１の大きさ又は吸熱部７１の側面５５４への接続位置を調整することが実現され得る。一実施形態において、各放熱部７２は、各側板６２２にそれぞれ接する。
【００４２】
伝熱部材７０は、一枚の金属板（例えば、アルミニウム板）を折り曲げることで作製され得る。
【００４３】
上記のように、各電池セルユニット１２は電池セル５０を有する。そのため、複数の電池セルユニット１２が並設された電池モジュール１０では、複数の電池セル５０も並設されている。
【００４４】
電池モジュール１０において、複数の電池セル５０（或いは、電池セルユニット１２）は、ケース５４の側面５５４の法線方向（並設方向Ａ）に並設されている。よって、隣接する電池セル５０間には、伝熱部材７０のうち吸熱部７１が配置されている。伝熱部材７０の各放熱部７２は、吸熱部７１の対向する縁部にそれぞれ立設されている。一方の放熱部７２は、側面５５２側に位置する側板６２２を挟んで、側面５５２と対向している。他方の放熱部７２は、側面５５３側に位置する側板６２２を挟んで、側面５５３と対向している。そのため、各放熱部７２の外面は、電池モジュール１０において側面１０ａを構成しており、電池モジュール１０において露出している。
【００４５】
次に、図３及び図４を参照して、電池モジュール１０を有する電池モジュールユニットの一実施形態の詳細について説明する。図３は、電池モジュールユニット１００の構成を示す斜視図である。図４は、図３のＩＶ−ＩＶ線に沿った断面図である。図３及び図４に示したように、電池モジュールユニット１００は、電池モジュール１０と、収容部材８０とを含む。電池モジュール１０については、先に図１及び図２を参照して説明したとおりである。
【００４６】
収容部材８０は、一方向に延在しており、電池モジュール１０を収容する。収容部材８０は、載置部８２と、一対の側壁部８４，８４とを含む。収容部材８０は、上側（載置部８２と対向する側）が開口されており、収容部材８０の延在方向に直交する断面の形状は、略Ｕ字形状を有する。電池モジュール１０は、図３及び図４に示したように、並設方向Ａが収容部材８０の延在方向と一致するように収容部材８０に収容されている。
【００４７】
後述するように、収容部材８０はその形状が変形可能に構成されているが、まず、電池モジュール１０を収容した状態、すなわち、図３及び図４に示した状態に基づいて収容部材８０について説明する。
【００４８】
載置部８２は、電池モジュール１０が載置される部分である。載置部８２は、複数の電池セル５０の並設方向Ａに延在する。載置部８２の延在方向において、載置部８２の長さは、電池モジュール１０の長さ以上であり得る。載置部８２の厚さ方向及び延在方向に直交する方向において、載置部８２の長さは、電池モジュール１０の長さと実質的に等しい長さを有する。
【００４９】
載置部８２は、第１の部分８２１、第２の部分８２２及び連結部８２３を含む。第１の部分８２１、第２の部分８２２及び連結部８２３は、並設方向Ａに延在している。載置部８２は、第１及び第２の部分８２１，８２２が、連結部８２３によって、並設方向Ａに延びる所定軸周りに揺動可能に連結されて構成されている。
【００５０】
第１及び第２の部分８２１，８２２は板状部材である。第１及び第２の部分８２１，８２２の材料の例は、鉄、アルミ及び銅といった金属、或はそのような金属を含む合金であり、その場合には、第１及び第２の部分８２１，８２２は金属板である。連結部８２３の例はヒンジ部である。載置部８２において電池モジュール１０が載置される載置面８２ａは、第１及び第２の部分８２１，８２２の上面８２１ａ，８２２ａを含む。電池モジュール１０が搭載された状態で、載置面８２ａは実質的に平坦面である。
【００５１】
一対の側壁部８４，８４は、電池モジュール１０を挟持して固定する部分である。一対の側壁部８４，８４は、例えば平板形状をなしており、載置部８２における並設方向Ａに延在する一対の縁部から立設されている。具体的には、一方の側壁部８４は、第１の部分８２１における連結部８２３と反対側の縁部から立設されている。つまり、第１の部分８２１は、一方の側壁部（第１の側壁部）８４が接続される部分である。他方の側壁部８４は、第２の部分８２２における連結部８２３と反対側の縁部から立設されている。つまり、第２の部分８２２は、他方の側壁部（第２の側壁部）８４が接続される部分である。一対の側壁部８４，８４と対応する第１及び第２の部分８２１，８２２とのなす角度は、実質的に９０°である。各側壁部８４において、載置部８２（具体的には、対応する第１及び第２の部分８２１，８２２）と接続される縁部を第１の縁部８４１と称し、第１の縁部と反対側の縁部を第２の縁部８４２と称する。また、一対の側壁部８４，８４における電池セル５０に対向する領域を対向領域Ｒ（後述の図５，６参照）と称する。対向領域Ｒは、側壁部８４における電池モジュール１０の側面１０ａと対向する領域（換言すれば、側面１０ａと熱的に接触する領域）でもあり、側壁部８４における第１の縁部８４１と第２の縁部８４２との間に位置する領域でもある。
【００５２】
各側壁部８４は、熱伝導性を有する板状部材であり、並設方向Ａに延在する。各側壁部８４の材料の例は、上述した載置部８２の第１の部分８２１及び第２の部分８２２の材料の例と同じであり、この場合、各側壁部８４は金属板である。各側壁部８４の材料は、例えば、第１及び第２の部分の材料と同じであってもよいし、或いは、異なっていてもよい。前述のように、載置部８２の厚さ方向及び延在方向に直交する方向（つまり側壁部８４の厚さ方向）において、載置部８２の長さは、電池モジュール１０の長さと実質的に等しい長さを有する。このため、各側壁部８４は、各側壁部８４と対向する電池モジュール１０の側面（対向面）１０ａと隙間なく接触し、両者は熱的に接続される。
【００５３】
上記構成の収容部材８０では、放熱部としての側壁部８４が、電池モジュール１０の側面１０ａと熱的に接続されるので、収容部材８０は、電池モジュール１０の放熱部材としても機能する。
【００５４】
収容部材８０の作製方法は特に限定されないが、例えば、次のようにして作製され得る。すなわち、第１及び第２の部分８２１，８２２を連結部８２３で連結して載置部８２を形成しておき、載置部８２に一対の側壁部８４を連結することによって、収容部材８０を得ることができる。或いは、例えば、第１及び第２の部分８２１，８２２及び側壁部８４が同じ材料（例えば、金属）から構成されている場合、第１の部分８２１と対応する側壁部８４とを一体的に形成したＬ字状部材、及び、第２の部分８２２と対応する側壁部８４とを一体的に形成したＬ字状部材を予め作製しておき、それらを連結部８２３で連結することによって、収容部材８０を得ることができる。
【００５５】
一実施形態において、載置部８２と電池モジュール１０との間には、補助プレート３５が設けられてもよい。補助プレート３５は熱伝導性を有していてもよく、その場合、補助プレート３５の材料の例はアルミニウムである。補助プレート３５は、一定の剛性が確保されれば、例えば伝熱シート（後述の伝熱シート３８と同様のものであってもよい）によって構成されてもよい。補助プレート３５は、載置面８２ａと実質的に同じ形状を有する板状部材であってよい。補助プレート３５の並設方向Ａの長さは、載置部８２の長さより短くてよい。
【００５６】
また、一実施形態において、各側壁部８４の内壁面と電池モジュールとの間には、伝熱シート３８（後述の図６に図示される）がそれぞれ設けられてもよい。伝熱シート３８の材料の例はシリコンやアクリルである。電池モジュールユニットが伝熱シート３８を有する場合には、載置部８２の厚さ方向及び延在方向に直交する方向において、載置部８２の長さは、電池モジュール１０及び伝熱シート３８の長さの合計の長さと実質的に等しい長さを有し得る。伝熱シート３８が設けられる形態においても、前述した補助プレート３５が設けられていてもよい。
【００５７】
以上、図３及び図４に示したように、電池モジュール１０が収容された状態に基づいて、収容部材８０の構成について説明した。前述したように、載置部８２は、第１及び第２の部分８２１，８２２が連結部８２３によって、並設方向Ａに延びる所定の軸周りに揺動可能に連結されている。これにより、収容部材８０は、その形状が変形可能となっている。具体的に、収容部材８０は、第１の状態と第２の状態とを有し、各状態で異なる形状を有する。この点について、さらに図５を参照して説明する。
【００５８】
図５は、第１の状態における収容部材８０を示す断面図である。この第１の状態は、収容部材８０が電池モジュール１０を収容する前の状態である。第１の状態では、載置部８２における載置面が、並設方向Ａから見て、収容部材８０の内側に屈曲している。
【００５９】
具体的に、第１の状態では、載置部８２における連結部８２３が、収容部材８０の内側に突出している。つまり、載置部８２が収容部材８０の内側に向かって凸形状を有している。この場合、第１の部分８２１の上面（内面）８２１ａは、側壁部８４Ａから連結部８２３に向かうにつれて収容部材８０の内側に傾斜する。側壁部８４Ａは、第１の部分８２１の上面８２１ａと直交するように第１の部分８２１の縁部から立設されている。よって、上面８２１ａの傾斜に応じて、側壁部８４Ａは、第１の縁部８４１から第２の縁部８４２に向かうにつれて、収容部材８０の外側に傾斜する。
【００６０】
同様に、第２の部分８２２の上面（内面）８２２ａは、側壁部８４Ｂから連結部８２３に向かうにつれて収容部材８０の内側に傾斜する。側壁部８４Ｂは、第２の部分８２２の上面８２２ａと直交するように第２の部分８２２の縁部から立設されている。よって、上面８２２ａの傾斜に応じて、側壁部８４Ｂも、側壁部８４Ａと同様に、第１の縁部８４１から第２の縁部８４２に向かうにつれて、収容部材８０の外側に傾斜する。
【００６１】
すなわち、第１の状態では、一対の側壁部８４は、載置部８２から離れるにつれて、互いの離間距離が長くなる。その結果、第１の状態は、各側壁部８４が有する第１の縁部８４１間の距離Ｄ１（第１離間距離）より、第２の縁部８４２間の距離Ｄ２（第２離間距離）の方が長い状態である。距離Ｄ１は、各側壁部８４の第１の縁部８４１と、第１及び第２の部分８２１，８２２とのコーナー部分８４１ａどうしの間の距離として定められてよい。距離Ｄ２は、各側壁部８４の第２の縁部８４２の内側のコーナー部分８４２ａどうしの間の距離として定められてよい。
【００６２】
一方、第２の状態は、図３及び図４に示した状態である。すなわち、載置面８２ａが実質的に平坦面を構成している状態である。一対の側壁部８４と第１及び第２の部分８２１，８２２は直交しているので、載置面８２ａが実質的に平坦面である第２の状態では、一対の側壁部８４は平行である。このため、第２の状態では、一対の側壁部８４は、載置部８２からの距離に依らず、互いの距離が同じである。よって、第２の状態における各側壁部８４が有する第１の縁部８４１の距離Ｄ１（第１離間距離）と、第２の縁部８４２間の距離Ｄ２（第２離間距離）とは実質的に等しい。また、先に説明したように側壁部８４における対向領域Ｒは、側壁部８４における第１の縁部８４１と第２の縁部８４２との間に位置する領域でもある。このため、第２の状態においては、一対の側壁部８４，８４における対向領域Ｒ間の距離は、第１の状態における対向領域Ｒ間の距離よりも短い。
【００６３】
次に、図６を利用して、電池モジュールユニット１００の組立て方について説明する。ここでは、補助プレート３５及び伝熱シート３８を備える場合について説明する。まず、第１の状態の収容部材８０を準備する。次に、補助プレート３５及び電池モジュール１０をこの順に収容部材８０内に収容する。この際、電池モジュール１０の両側に伝熱シート３８を配置しておく。
【００６４】
第１の状態では、載置面８２ａが内側に屈曲しており、載置部８２は、内側に突出した連結部８２３を頂部とする山型を呈している。そのため、補助プレート３５及び電池モジュール１０が第１の状態の収容部材８０に収容されると、連結部８２３が、電池モジュール１０（より具体的には補助プレート３５）の荷重により押圧されて、図６において下方に移動する。この移動に伴い、載置部８２において収容部材８０の内側に向かう凸部（或いは屈曲部分）が小さくなっていくと共に、載置部８２に接続されている一対の側壁部８４，８４が内側に付勢され互いに近づく。凸部がなくなり、載置部８２の載置面８２ａ及び補助プレート３５がほぼ均等に面接触するようになると、連結部８２３が移動しなくなり、載置部８２の変形が終了し、電池モジュール１０の載置部８２への載置が完了する。これにより、収容部材８０が、第１の状態から第２の状態に変形する。
【００６５】
第２の状態では、第１の部分８２１の上面８２１ａ及び第２の部分８２２の上面８２２ａの傾斜が解消されている。つまり、第２の状態では、並設方向Ａから見て、載置部８２は、第１の状態よりも平坦である。図４に示す例では、第２の状態では、載置面８２ａは平坦面である。また、一対の側壁部８４は、載置部８２の変形に伴い内側に付勢されているので、一対の側壁部８４により電池モジュール１０が挟持される。これにより収容部材８０内で電池モジュール１０が固定される。
【００６６】
次に、電池モジュールユニット１００の作用効果について説明する。
【００６７】
電池モジュールユニット１００では、載置部８２に電池モジュール１０が載置されないときには、収容部材８０は第１の状態を取り得る。第１の状態では、収容部材８０の一対の側壁部８４において、各側壁部８４が有する第１の縁部８４１間の距離Ｄ１（第１離間距離）より、第２の縁部８４２間の距離Ｄ２（第２離間距離）の方が長くなる。この場合、収容部材８０の開口側（第２の縁部８４２側）が広く開口した状態となるので、そこから電池モジュール１０を収容部材８０に容易に収容し、載置部８２に載置することができる。
【００６８】
また、電池モジュール１０が載置部８２に載置された第２の状態では、電池モジュール１０は一対の側壁部８４により挟持される。電池モジュール１０における収容部材８０の側壁部８４に対向する対向面（側面１０ａ）には、放熱部７２が露出しているので、電池モジュールユニット１００が伝熱シート３８を有しない形態では、一対の側壁部８４と対応する放熱部７２とは、隙間なく接触（密着）し、熱的に接続される。また、電池モジュールユニット１００が伝熱シート３８を有する形態では、伝熱シート３８が一対の側壁部８４と隙間なく接触（密着）し、伝熱シート３８を介して一対の側壁部８４と対応する放熱部７２とが熱的に接続される。各側壁部８４は熱伝導性を有する放熱板として機能することから、収容部材８０は、放熱部材でもある。よって、電池モジュールユニット１００では、放熱部材としての機能を有する収容部材８０により電池モジュール１０を放熱できる。
【００６９】
収容部材８０は、電池モジュール１０が載置部８２に載置されることで、第１の状態から第２の状態に変形するように構成されている。したがって、電池モジュール１０を載置部８２に載置するだけで、放熱部材としての収容部材８０内に電池モジュール１０を容易に固定することができる。また、電池モジュール１０を載置部８２に載置するだけで電池モジュールユニット１００を得ることができるので、電池モジュールユニット１００の組立ても容易である。
【００７０】
電池モジュールユニット１００が伝熱シート３８を有する形態では、伝熱シート３８を介して側壁部８４と放熱部７２とがより確実に熱的に接触する。電池モジュール１０は、複数の放熱部７２を有する。各放熱部７２は対応する吸熱部７１の縁部に立設されているが、複数の伝熱部材７０において、吸熱部７１と放熱部７２とのなす角度が揃っていない、より具体的には９０°からずれている場合もある。この場合でも伝熱シート３８を有することで、放熱部７２と伝熱シート３８とを熱的に接触させながら、伝熱シート３８を側壁部８４に面接触させることができる。そのため、放熱部７２からの熱が伝熱シート３８を介して側壁部８４に伝わり易い。その結果、電池モジュール１０を収容部材８０で効率的に放熱させ易い。
【００７１】
電池モジュールユニット１００が補助プレート３５を有する形態では、図２及び図４に示したように、フォルダ６０の底板６２１の外側に各ボルトガイド部６９が突出していても、収容部材８０を第１の状態から第２の状態により確実に変形できる。これは、第１の状態の収容部材８０に電池モジュール１０を収容した際、一対のボルトガイド部６９の間でも補助プレート３５によって確実に連結部８２３を押圧できるからである。
【００７２】
電池モジュールユニット１００は、例えば、電池パックに収容された状態で、自動車及びフォークリフトなどの車両において、バッテリとして用いられてもよい。
【００７３】
図７は、そのような電池パックの概略構成を示す一部切り欠き斜視図である。図７において、電池パック１の上面が一部破断して示されている。
【００７４】
図７に示したように、電池パック１は、複数の電池モジュールユニット１００と、ケース２０とを備える。電池モジュールユニット１００は、ケース２０内に固定されている。図７中において、４個の電池モジュールユニット１００を模式的に示しているが、電池モジュールユニット１００の数は４個に限定されない。
【００７５】
ケース２０は、四角箱形状を有し、複数の電池モジュールユニット１００を収容する収容部材である。ケース２の材料の例は、金属であり、例えば、鉄である。ケース２０は、ケース本体２１と、ケース蓋２２とを含む。
【００７６】
ケース本体２１は、板状の底壁２１１及び板状の４つの側壁２１２，２１３，２１４，２１５によって形成され、上部が開口された箱形状を有する。底壁２１１の平面視形状は四角形状（例えば、矩形又は正方形）である。側壁２１２〜２１５は、底壁２１１の４つの縁部にそれぞれ立設されている。
【００７７】
ケース蓋２２は、ケース本体２１の開口部分を塞ぐように、ケース本体２１の上に、ケース本体２１の底壁２１１と対向して配置され固定されている。
【００７８】
電池パック１において、各電池モジュールユニット１００は、収容部材８０の載置部８２が、底壁２１１上に載置されると共に、収容部材８０における一対の側壁部８４の一方が、ケース２０の側壁２１５の内壁面２１５ａ、或いは側壁２１３の内壁面２１３ａに接するように配置されている。電池モジュールユニット１００のケース２０への固定は、例えば図示しないボルトなどの固定部材を用いて実現され得る。例えば、収容部材８０の延在方向が電池モジュール１０より長い形態では、載置部８２において、電池モジュール１０が載置されていない部分を利用してボルトによって、電池モジュールユニット１００をケース２０に固定すればよい。
【００７９】
次に、電池パック１の作用効果について説明する。
【００８０】
電池パック１は、電池モジュールユニット１００をケース２０に収容することによって構成される。先に説明したように、電池モジュールユニット１００は、電池モジュール１０を載置部８２に載置するだけで容易に組立てることができる。したがって、電池モジュールユニット１００を備える電池パック１も、組立てが容易である。
【００８１】
また、電池パック１では、電池モジュールユニット１００の収容部材８０における一対の側壁部８４の一方が、ケース２０の側壁２１５の内壁面２１５ａ、或いは側壁２１３の内壁面２１３ａに接するように配置されている。この場合、側壁部８４がさらに、電池パック１のケース２０の内壁面（内壁面２１５ａ或いは２１３ａ）によって放熱される。これにより、電池モジュールユニット１００の放熱性能をさらに向上させることができる。
【００８２】
また、底壁２１１上に載置される収容部材８０の載置部８２（より具体的には第１及び第２の部分８２１，８２２）が、金属板等の熱伝導性を有するものであれば、載置部８２も、電池パック１のケース２０の底壁２１１の内壁面２１１ａによって放熱される。よって、電池モジュールユニット１００の放熱性能をさらに向上させることができる。
【００８３】
電池モジュールユニット１００において、電池モジュール１０を収容する収容部材は、上述の収容部材８０に限られない。例えば、収容部材８０に代えて、次に説明する各種の収容部材を採用してもよい。
【００８４】
図８は、収容部材の他の例を示す斜視図である。図８（ａ）は、収容部材の正面図である。図８（ｂ）は、収容部材の平面図である。図８に示した収容部材８０Ａは、載置部８２Ａと一対の側壁部８４とを有する。収容部材８０Ａは、収容部材８０と比較して、載置部８２に代えて載置部８２Ａを有する点において相違し、それ以外の点については収容部材８０と同じである。よって、一対の側壁部８４の説明は省略する。
【００８５】
載置部８２Ａは、第１の部分８２１Ａ、第２の部分８２２Ａ及び連結部８２３Ａによって構成される。第１の部分８２１Ａは、並設方向Ａに所定の間隔を開けて配置され、側壁部８４Ａと連結部８２３Ａとを接続する複数の接続部材である。接続部材は、例えば、接続方向に延在する板状或いは棒状の部材であり、接続部材の材料の例は、第１及び第２の部分８２１，８２２の材料の例と同じであり得る。同様に、第２の部分８２２Ａは、並設方向Ａに所定の間隔を開けて配置され、側壁部８４Ｂと連結部８２３Ａとを接続する、第１の部分８２１Ａと同様な複数の接続部材である。収容部材８０Ａにおいても、収容部材８０と同様に、載置部８２Ａが変形可能なように、連結部８２３Ａ（例えばヒンジ部）によって、第１の部分８２１Ａ及び第２の部分８２２Ａが連結される。
【００８６】
このような載置部８２Ａの構成によっても、第１及び第２の部分８２１Ａ，８２２Ａによって電池モジュール１０を支持することができ、また載置部８２と同様の変形が可能である。よって、収容部材８０Ａも、収容部材８０と同様に、第１の状態から第２の状態への変形が可能である。
【００８７】
図９は、収容部材の他の例を示す斜視図である。図９に示した収容部材９０は、載置部９２と一対の側壁部８４とを有する。収容部材９０は、載置部９２が一枚の板である点で、収容部材８０と相違し、それ以外の点については収容部材８０と同じである。よって、一対の側壁部８４の説明は省略する。
【００８８】
収容部材９０において、載置部９２は弾性部材からなる一枚の板（弾性板）である。具体的には、載置部９２は、弾性を有する金属板又はゴム板である。載置部９２が金属板の場合、載置部９２が弾性を有するように、薄板とされていてよい。金属板の材料の例は、先に説明した載置部８２の第１の部分８２１及び第２の部分８２２の材料の例と同じである。
【００８９】
載置部９２が弾性を有するため、例えば、載置部９２の中央部近傍が内側に湾曲するように載置部９２を形成し得る。載置部９２が弾性部材からなるので、載置部９２に電池モジュール１０が載置されると、載置部９２の載置面９２ａがより平坦となるように載置部９２が変形する。このため、収容部材９０も、収容部材８０と同様に、第１の状態から第２の状態への変形が可能である。
【００９０】
図１０は、収容部材の更に他の例を示す斜視図である。図１０に示した収容部材９０Ａは、載置部９２と、一対の側壁部９４とを有する。収容部材９０Ａの構成は、一対の側壁部８４の代わりに一対の側壁部９４を採用している点で、収容部材８０の構成と相違する。
【００９１】
一対の側壁部９４のそれぞれは、板状部９５と放熱板９６とを含む。板状部９５は弾性部材からなり、開口部９５ａが形成されている。よって、板状部９５はリング形状を有する。上記構成では、放熱板９６の周壁面が弾性部材である板状部９５で囲まれていることになる。板状部９５を構成する弾性材料の例は、ゴムである。放熱板９６は、開口部９５ａと同様の形状を有しており、側壁部９４の内壁面が平坦となるように、開口部９７ａに嵌めあわされている。放熱板９６の材料の例は、先に説明した載置部８２の第１の部分８２１及び第２の部分８２２の材料の例と同じである。放熱板９６は、電池モジュール１０が収容部材９０Ａに収容された状態（第２の状態）で、電池モジュール１０の両側に熱的に接続される放熱部である。
【００９２】
収容部材９０Ａは、例えば、上記構成の側壁部９４を作製したのち、載置部９２にそれぞれ側壁部９４を取り付けることで製造され得る。或いは、載置部９２及び板状部９５が同じゴムから構成されている場合、図１０に示した形状の収容部材をゴムから一体的に成形した後、側壁部９４に対応する部分に開口部９５ａを形成し、放熱板９６を開口部９５ａに嵌めあわせることで、収容部材９０Ａが製造され得る。このようにして、収容部材９０Ａを容易に製造し得る。
【００９３】
また、電池モジュールユニット１００において、収容部材の側壁部の放熱部には、温度調整機構が設けられてもよい。温度調整機構として、例えば次に説明する構成が採用されてよい。
【００９４】
図１１は、温度調整機構が冷却流路を有する構成の例を示す。図１１では、図４に例示した構成において、冷却流路Ｃが、放熱部である側壁部８４の内部に設けられている形態を例示している。冷却流路Ｃは、放熱部（図１１では側壁部８４）に設けられていればよいが、例えば、図１１に示したように、側壁部８４における電池モジュール１０の側面１０ａに対向する部分に設けられてもよいし、或いは、電池モジュール１０の側面１０ａに対向する部分の近傍に設けられていてもよい。冷却流路Ｃに冷媒が流されることによって側壁部８４が放熱されるので、側壁部８４の放熱部としての機能を高めることができる。冷媒は、液体冷媒であってもよいし、気体冷媒であってもよい。冷却流路Ｃは、図１１に示したように放熱部（図１１では側壁部８４）の内部に設けられている場合に限定されず、放熱部の外壁面に接触して設けられてもよい。また、先に図８〜１０を参照して説明した他の収容部材も、放熱部に冷却流路Ｃが設けられた構成とすることができる。
【００９５】
図１２は、温度調整機構がペルチェ素子を有する構成の例を示す。図１２では、図４に例示した構成において、ペルチェ素子Ｐが、放熱部である側壁部８４の外壁面に接触して設けられている。側壁部８４におけるペルチェ素子Ｐの位置は、電池モジュール１０の側面１０ａに対向する部分、すなわち、側壁部８４の外壁面において対向領域Ｒに対応する領域に設けられていてもよいし、或いは、電池モジュール１０の側面１０ａに対向する部分の近傍に設けられていてもよい。図１２に示したように、側壁部８４の外壁面にペルチェ素子Ｐを設けた場合には、ペルチェ素子Ｐを挟んで側壁部８４と反対側に放熱フィンがさらに設けられてもよい。ペルチェ素子Ｐは、側壁部８４に接触していればよいので、例えば、側壁部８４の内壁面に設けられてもよい。側壁部８４の内壁面にペルチェ素子Ｐが設けられる場合のペルチェ素子Ｐの配置状態は、側壁部８４の外壁面にペルチェ素子Ｐが設けられる場合と同様とし得る。また、先に図８〜１０を参照して説明した他の収容部材も、放熱部にペルチェ素子Ｐが設けられた構成とすることができる。
【００９６】
図１１及び図１２では、冷却流路を含む温度調整機構及びペルチェ素子を含む温度調整機構を例示したが、温度調整機構は、放熱部に設けられ、放熱部の温度を調整する機構であれば冷却流路及びペルチェ素子に限定されない。
【００９７】
以上本発明の実施形態について説明したが、本発明は上記実施形態に限定されるものでなく、発明の趣旨を逸脱しない範囲で種々の変更が可能である。
【００９８】
例えば、上記実施形態では、一対の側壁部８４，８４の各々が平板形状を有する場合について説明した。しかしながら、側壁部８４の形状は平板形状に限定されない。例えば、側壁部８４は、収容部材８０の開放側の端部において屈曲している部分を有していてもよい。この場合でも、第２の状態において、一対の側壁部８４，８４における対向領域Ｒ間の距離が、第１の状態における対向領域Ｒ間の距離よりも短ければ、収容部材８０が第１の状態から第２の状態に変形することによって、電池モジュール１０が一対の側壁部８４，８４に挟持され得るためである。
【００９９】
また、例えば、上記実施形態では、電池モジュールユニット１００において、電池モジュール１０と載置部８２との間に補助プレート３５を設けた構成について説明した。しかしながら、例えば、補助プレート３５を設けなくても電池モジュール１０によって収容部材８０が第１の状態から第２の状態に変形可能であれば、電池モジュールユニット１００は、補助プレート３５を有さなくてもよい。例えば、ボルトガイド部６９の突出方向において、収容部材８０の載置部８２において内側に向かう凸形状の高さを、フォルダ６０の底板６２１の下面とボルトガイド部６９の下面６９ａとの間の距離よりも短くすることで、載置部８２の載置面８２ａを、ボルトガイド部６９の下面６９ａだけでなく、底板６２１の下面にも接触させることができる。また、例えば、フォルダ６０において、一対のボルトガイド部６９の間に隙間がない形態、すなわち、底板６２１の板厚が厚く、その底板６２１にボルトガイド孔が形成されている或いは底板６２１の外面にボルトガイド部としての板部材が接合されている形態等の場合、電池モジュール１０だけで確実に収容部材を第１の状態から第２の状態に変形できる。
【０１００】
また、図６に示したように電池モジュール１０と一対の側壁部８４との間に伝熱シート３８を設けなくてもよい。
【０１０１】
また、収容部材８０の載置部８２が、２つ以上の連結部８２３を含んでもよく、その場合、載置部８２は、一対の側壁部８４の第１の縁部８４１と、各連結部８２３とを接続する３つ以上の部分からなる。複数の連結部８２３が有ることによって、例えば、載置部８２の形状を含めた設計の自由度が向上する。
【０１０２】
これまでは、載置部から立設される一対の側壁部が何れも放熱部として機能する形態について説明した。しかしながら、収容部材において、一対の側壁部の一方が放熱部として機能すればよい。
【符号の説明】
【０１０３】
１…電池パック、１０…電池モジュール、１０ａ…側面（対向面）、２０…ケース、２１１ａ，２１３ａ，２１５ａ…内壁面、５０…電池セル、７２…放熱部（伝熱部材）、８０…収容部材、８２…載置部、８２ａ…載置面、８２１…第１の部分、８２２…第２の部分、８２３…連結部（ヒンジ部）、８４，８４Ａ，９４…側壁部、８４１…第１の縁部、８４２…第２の縁部、９５…板状部、９５ａ…開口部、９６…放熱板、１００…電池モジュールユニット、Ｃ…冷却流路（温度調整機構）、Ｐ…ペルチェ素子（温度調整機構）、Ｒ…対向領域。
【図１】
2017041311.tif 000003
【図２】
2017041311.tif 000004
【図３】
2017041311.tif 000005
【図４】
2017041311.tif 000006
【図５】
2017041311.tif 000007
【図６】
2017041311.tif 000008
【図７】
2017041311.tif 000009
【図８】
2017041311.tif 000010
【図９】
2017041311.tif 000011
【図１０】
2017041311.tif 000012
【図１１】
2017041311.tif 000013
【図１２】
2017041311.tif 000014